(57)【要約】【課題】所定の設定内容を設定するために必要な操作に関するナビゲート情報を表示部に表示させることができる表示装置を提供すること。【解決手段】表示部７１１と、所定の設定内容を設定可能な入力設定部７０と、入力設定部７０における操作が所定の設定内容を設定するには必要のない不必要な操作であるか否かを判定する判定部９０１と、過去情報を記憶する記憶部８０と、判定部９０１により入力設定部７０における操作が不必要な操作であると判定された場合に、不必要な操作と所定の設定内容とを関連付けて、過去情報として記憶部８０に記憶させる書込部９０３と、判定部９０１により入力設定部７０における操作が不必要な操作であると判定された場合に、記憶部８０に記憶される過去情報に基づいて、所定の設定内容を設定するために必要な操作に関するナビゲート情報を表示部７１１に表示させる表示制御部９０４と、を備える。【選択図】図２
2013025736.tif 000002
【特許請求の範囲】
【請求項１】
複数の選択項目を表示可能な表示部と、
前記表示部に表示された前記複数の選択項目から１つの選択項目が選択される操作が１回又は複数回実行されることにより、所定の設定内容を設定可能な入力設定部と、
前記入力設定部における前記操作が前記所定の設定内容を設定するには必要のない不必要な操作であるか否かを判定する判定部と、
過去情報を記憶する記憶部と、
前記判定部により前記入力設定部における前記操作が前記不必要な操作であると判定された場合に、前記不必要な操作と前記所定の設定内容とを関連付けて、前記過去情報として前記記憶部に記憶させる書込部と、
前記判定部により前記入力設定部における前記操作が前記不必要な操作であると判定された場合に、前記記憶部に記憶される前記過去情報に基づいて、前記所定の設定内容を設定するために必要な操作に関するナビゲート情報を前記表示部に表示させる表示制御部と、
を備える表示装置。
【請求項２】
前記表示部は、階層構造化された設定領域内において前記複数の選択項目を表示可能であり、
前記入力設定部は、前記設定領域内において上位層から下位層に移動する操作が実行されることにより、前記所定の設定内容を設定可能であり、
前記不必要な操作は、前記設定領域内において下位層から上位層に移動する操作である
請求項１に記載の表示装置。
【請求項３】
前記選択項目は、アイコンである
請求項１又は２に記載の表示装置。
【請求項４】
請求項１から３のいずれかに記載の表示装置を備える画像形成装置。
【発明の詳細な説明】
【技術分野】
【０００１】
本発明は、所定の設定内容を設定するために必要な操作に関するナビゲート情報を表示させる表示装置及びこれを備える画像形成装置に関する。
【背景技術】
【０００２】
従来、表示部と、所定の設定内容を設定可能な操作部（入力設定部）と、操作部における操作が所定の設定内容を設定するには必要のない不必要な操作であるか否かを判定する判定部と、その不必要な操作の回数をカウントするカウンターと、カウンターによりカウントされたカウント値が一定の値に達した場合に表示部にヘルプ画面を表示させる制御部と、を備える表示装置が提案されている（例えば、特許文献１参照）。
【０００３】
特許文献１に記載の表示装置においては、前記不必要な操作の回数が一定の回数に達した場合にのみ、ヘルプ画面を表示部に表示させることができるとされている。
【先行技術文献】
【特許文献】
【０００４】
【特許文献１】特開２００８−１７１０６７号公報
【発明の概要】
【発明が解決しようとする課題】
【０００５】
しかし、前記不必要な操作は、その不必要な操作をした使用者のみならず、他の使用者にとっても分かりにくい設定操作であることが多い。そして、表示装置において、前記不必要な操作が実行された場合には、不必要な操作の回数が一定の回数に達しない場合においても、ナビゲートが可能なナビゲート情報を表示させた方が一般的には好ましい。そのため、所定の設定内容を設定するために必要な操作に関するナビゲート情報を表示させることができる表示装置が望まれている。
【０００６】
本発明は、所定の設定内容を設定するために必要な操作に関するナビゲート情報を表示部に表示させることができる表示装置を提供することを目的とする。
また、本発明は、前記表示装置を備える画像形成装置を提供することを目的とする。
【課題を解決するための手段】
【０００７】
本発明は、複数の選択項目を表示可能な表示部と、前記表示部に表示された前記複数の選択項目から１つの選択項目が選択される操作が１回又は複数回実行されることにより、所定の設定内容を設定可能な入力設定部と、前記入力設定部における前記操作が前記所定の設定内容を設定するには必要のない不必要な操作であるか否かを判定する判定部と、過去情報を記憶する記憶部と、前記判定部により前記入力設定部における前記操作が前記不必要な操作であると判定された場合に、前記不必要な操作と前記所定の設定内容とを関連付けて、前記過去情報として前記記憶部に記憶させる書込部と、前記判定部により前記入力設定部における前記操作が前記不必要な操作であると判定された場合に、前記記憶部に記憶される前記過去情報に基づいて、前記所定の設定内容を設定するために必要な操作に関するナビゲート情報を前記表示部に表示させる表示制御部と、を備える表示装置に関する。
【０００８】
また、前記表示部は、階層構造化された設定領域内において前記複数の選択項目を表示可能であり、前記入力設定部は、前記設定領域内において上位層から下位層に移動する操作が実行されることにより、前記所定の設定内容を設定可能であり、前記不必要な操作は、前記設定領域内において下位層から上位層に移動する操作であることが好ましい。
【０００９】
また、前記選択項目は、アイコンであることが好ましい。
【００１０】
本発明は、前記表示装置を備える画像形成装置に関する。
【発明の効果】
【００１１】
本発明によれば、所定の設定内容を設定するために必要な操作に関するナビゲート情報を表示部に表示させることができる表示装置を提供することができる。
また、本発明によれば、前記表示装置を備える画像形成装置を提供することができる。
【図面の簡単な説明】
【００１２】
【図１】コピー機１の全体構成を説明するための図である。
【図２】コピー機１の機能構成を示すブロック図である。
【図３】表示装置１００における階層構造化された設定領域を説明するための図である。
【図４】タッチパネル７１に表示されるメインメニューを示す図である。
【図５】タッチパネル７１に表示される機能リスト一覧メニューを示す図である。
【図６】タッチパネル７１に表示されるナビゲート情報について説明するための図である。
【図７】本発明のコピー機１の表示装置１００の動作を説明するフローチャートである。
【図８】設定領域内において不必要な操作として下位層から上位層に移動する例を説明するための図である。
【発明を実施するための形態】
【００１３】
以下、図面を参照して、本発明の表示装置の一実施形態について説明する。なお、本実施形態では、表示装置が画像形成装置の一例であるコピー機に搭載された場合について説明する。このため、まず、コピー機について説明する。図１は、コピー機１の全体構成を説明するための図である。
【００１４】
コピー機１は、原稿搬送部１０と、原稿読取部２０と、用紙搬送部３０と、画像形成部４０と、転写部５０と、定着部６０とを備える。
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５におけるコピー機本体２の外側には、原稿集積部１６が形成される。原稿集積部１６には、原稿排出部１５から排出された原稿Ｇが積層して集積される。
【００１５】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１６】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１７】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００１８】
用紙搬送部３０は、第２送りローラー３１と、第３送りローラー３２と、レジストローラー対３３と、用紙排出部３４とを備える。第２送りローラー３１は、給紙カセット３６に収容される用紙Ｔを転写部５０に供給する。第３送りローラー３２は、手差しトレイ３７に載置される用紙Ｔを転写部５０に供給する。レジストローラー対３３は、転写部５０にトナー画像が形成されるタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔをコピー機本体２の外部に排出する。
用紙排出部３４におけるコピー機本体２の外側には、排紙集積部３５が形成される。排紙集積部３５には、用紙排出部３４から排出された用紙Ｔが積層して集積される。
【００１９】
画像形成部４０は、感光体ドラム４１と、帯電部４２と、レーザースキャナーユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナーユニット４３と、現像器４４と、クリーニング部４５とが配置される。帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２０】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００２１】
転写部５０は、２次転写ローラー５１を備える。２次転写ローラー５１は、中間転写ベルト４８における対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２２】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２３】
次に、コピー機１の機能構成について説明する。図２は、コピー機１の機能構成を示すブロック図である。
コピー機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。なお、図１を用いて説明した構成要素については、その説明を省略する。
さらに、コピー機１は、上述した機能構成に加えて、操作部７０と、記憶部８０と、制御部９０とを備える。
【００２４】
操作部７０は、タッチパネル７１、テンキー（図示せず）、及びスタートキー（図示せず）等を備える。タッチパネル７１は、種々の機能が割り当てられた複数のキー等を表示する（図４参照）。複数のキー等に割り当てられた種々の機能としては、一例として、用紙選択の設定機能や、用紙の縮小又は拡大の設定機能や、印刷濃度の設定機能や、両面印刷又は分割印刷に関する設定機能や、複数のページを１枚の用紙Ｔに割り付けるページ集約機能（２ｉｎ１等）や、その他の機能リスト一覧を表示する機能などがある（図４参照）。タッチパネル７１に表示されたアイコン１１０（図４参照、後述）は、種々の機能のうちのいずれかをコピー機１に実行させるために操作される。
【００２５】
テンキーは、印刷部数等の数字を入力するために操作される。スタートキーは、印刷を実行させるために操作される。操作部７０は、いずれかのキーが操作されることにより、このキーが操作されたことを表す信号を制御部９０に出力する。
【００２６】
記憶部８０は、ハードディスクや半導体メモリー等から構成される。記憶部８０は、原稿読取部２０によって読み取られた原稿Ｇに基づく画像データを記憶する。また、記憶部８０は、コピー機１において利用される制御プログラム、及びこの制御プログラムによって利用されるデータ等を記憶する。
【００２７】
制御部９０は、原稿搬送部１０、原稿読取部２０、エンジン部３、操作部７０等を制御する。
【００２８】
コピー機１は、表示装置１００を備える。表示装置１００について説明する。図３は、表示装置１００における階層構造化された設定領域を説明するための図である。図４は、タッチパネル７１に表示されるメインメニューを示す図である。図５は、タッチパネル７１に表示される機能リスト一覧メニューを示す図である。図６は、タッチパネル７１に表示されるナビゲート情報について説明するための図である。
【００２９】
図２に示すように、表示装置１００は、入力設定部としての操作部７０と、記憶部８０と、制御部９０とを備える。操作部７０は、タッチパネル７１を備える。タッチパネル７１は、表示部７１１を有する。
【００３０】
表示部７１１は、図３に示す階層構造化された設定領域内において、選択項目としての複数のアイコン１１０を表示可能である。アイコン１１０は、割り当てられた各機能を示す情報を含んで構成される。アイコン１１０は、図４及び図５に示すように、表示部７１１に表示されるボタンのことである。アイコン１１０は、コピー機１に与える命令について、文書やファイルを処理するための各種の機能等を分かりやすく記号化した図形や絵文字等により構成される。
【００３１】
操作部７０は、表示部７１１に表示された複数のアイコン１１０から１つのアイコン１１０が選択される操作が１回又は複数回実行されることにより、所定の設定内容を設定可能である。操作部７０は、設定領域内において、上位層から下位層に移動する操作が実行されることにより、所定の設定内容を設定可能である。
【００３２】
表示装置１００における設定領域について詳述する。表示装置１００における各種機能を設定可能な設定領域は、図３に示すように、所定の設定内容を設定するために階層構造化されている。各階層における表示部７１１には、複数のアイコン１１０が表示される。例えば、本実施形態においては、最も上位の上位層として、「メインメニュー」の階層がある。そして、「メインメニュー」の階層においては、表示部７１１は、使用される頻度が高い「用紙選択」、「縮小／拡大」、「濃度」、「両面／分割」の機能が割り当てられたアイコン１１０が選択可能に表示されている。更に、「メインメニュー」の階層においては、表示部７１１は、その他の複数の機能を選択可能に集約した「機能リスト一覧」を表示させる機能が割り当てられたアイコン１１０が選択可能に表示されている。
【００３３】
各種機能を設定可能な設定領域においては、各階層において表示される複数のアイコン１１０から１つのアイコン１１０が選択されることで、設定領域における上位層又は下位層に移動するように構成されている。例えば、「メインメニュー」の階層において、「縮小／拡大」が選択された場合には、「縮小／拡大」の１つ下の下位層であって、「自動倍率」、「縮小／拡大倍率指定」を選択可能な「縮小／拡大設定」の階層に移動する。また、例えば、「メインメニュー」の階層において、「機能リスト一覧」が選択された場合には、「機能リスト一覧」の１つ下の下位層の「機能リスト一覧メニュー」の階層であって、「原稿サイズ」、「原稿セット向き」、「排出先」、「ステープル」、「カラー選択」、「原稿の画質」、「エコプリント」、「色相調整」、「カラーバランス」等を選択可能な階層に移動する。この場合には、表示部７１１には、図５に示すように、スクロール可能な機能リスト一覧が表示される。
【００３４】
更に、「機能リスト一覧メニュー」の階層において、「原稿サイズ」、「原稿セット向き」、「排出先」、「ステープル」、「カラー選択」、「原稿の画質」、「エコプリント」、「色相調整」、「カラーバランス」等が選択されることで、それぞれの機能を詳細に設定可能な１つ下の下位層に移動される。
【００３５】
制御部９０は、操作部７０により複数のアイコン１１０から１つのアイコン１１０が選択される操作が行われた場合には、各機能又は各設定内容を選択可能な階層を、設定領域において上位層又は下位層に移動させるように制御する。
また、制御部９０は、操作部７０により複数のアイコン１１０から１つのアイコンが選択されたときには、アイコン１１０に割り当てられた設定内容を設定するように制御する。
【００３６】
また、制御部９０は、図２に示すように、判定部としての第１判定部９０１と、第２判定部９０２と、書込部９０３と、表示制御部９０４と、検出部９０５とを有する。
第１判定部９０１は、操作部７０における操作が所定の設定内容を設定するには必要のない不必要な操作であるか否かを判定する。
【００３７】
第１判定部９０１により判定される不必要な操作について詳述する。使用者は、階層構造化された設定領域を上位層から下位層に移動する操作により、所定の設定内容に設定することができる。しかし、アイコン１１０の形状等が他のアイコンの形状等と紛らわしい場合や、設定内容の名称や観念が紛らわしい場合には、所定の設定内容に設定する際に、不必要な操作がなされて、適切に設定内容を設定することができない場合がある。例えば、所定の設定内容を設定するには必要のない不必要な操作としては、設定領域内において下位層から上位層に移動する操作がある。
【００３８】
具体的には、本実施形態のように設定領域が階層構造化されている場合には、階層構造化された設定領域内を上位層から下位層に進む（移動する）操作は、所定の設定内容を設定することに対して、回り道等をすることなく、スムーズに、所定の設定内容を設定することができる操作である。一方、設定領域内を下位層から上位層に戻る（移動する）操作は、所定の設定内容を設定することに対しては必要のない操作である可能性が高い。
従って、第１判定部９０１は、設定領域内を下位層から上位層に移動する操作を不必要な操作として判定する。そして、第１判定部９０１が不必要な操作として判定した場合には、後述する表示制御部９０４は、所定の設定内容を設定するために必要な操作に関するナビゲート情報を表示部７１１に表示させることができる。
【００３９】
第２判定部９０２は、後述する記憶部８０を参照して、所定の設定内容を設定するには必要のない不必要な操作に関連する過去情報があるか否かを判定する。
【００４０】
書込部９０３は、第１判定部９０１により操作部７０における操作が不必要な操作であると判定された場合に、不必要な操作と所定の設定内容とを関連付けて、過去情報として記憶部８０（後述）に記憶させる。これにより、記憶部８０には、過去情報が蓄積される。
具体的には、例えば、「原稿の画質」、「色相調整」又は「カラーバランス」の設定をする際に、アイコン１１０の形状等が紛らわしい場合等に、「濃度設定」の階層から１つ上の上位層に戻る操作（不必要な操作）が行われた後に、「原稿の画質」、「色相調整」又は「カラーバランス」の設定がなされる場合がある。この場合には、書込部９０３は、「濃度設定」の階層から１つ上の上位層に戻る（移動する）操作と、「原稿の画質」、「色相調整」又は「カラーバランス」とを関連付けて、過去情報として記憶部８０に記憶させる。
【００４１】
表示制御部９０４は、第１判定部９０１により操作部７０における操作が不必要な操作であると判定された場合に、記憶部８０に記憶される過去情報に基づいて、所定の設定内容を設定するために必要な操作に関するナビゲート情報を表示部７１１に表示させる。
具体的には、例えば、「濃度設定」の階層から１つ上の上位層に戻る不必要は操作が行われた場合には、表示制御部９０４は、図６に示すように、ナビゲート情報として、「濃度設定」の階層から１つ上の上位層に戻る不必要は操作と関連付けられて記憶部８０に記憶された「原稿の画質」、「色相調整」、「カラーバランス」のアイコン１１０を、表示部７１１に表示させる。
なお、ナビゲート情報として表示部７１１に表示させる設定内容のアイコン１１０の数は、任意に設定することができる。
【００４２】
検出部９０５は、ナビゲート情報として表示部７１１に表示された設定内容が選択されたか否かを検出する。
【００４３】
記憶部８０は、過去情報や、表示部７１１に表示されるアイコン１１０に関する情報を記憶する。過去情報は、操作部７０における不必要な操作と所定の設定内容とを関連付けた情報である。具体的には、例えば、記憶部８０は、設定領域内における「濃度設定」の階層から１つ上の上位層に戻る（移動する）操作と、「原稿の画質」、「色相調整」、「カラーバランス」とを関連付けて、過去情報として記憶している。
【００４４】
次に、本実施形態における表示装置１００の動作について、フローチャートを用いて説明する。図７は、本発明のコピー機１の表示装置１００の動作を説明するフローチャートである。図８は、設定領域内において不必要な操作として下位層から上位層に移動する例を説明するための図である。
【００４５】
使用者は、操作部７０を操作することで、所望（所定）の設定内容を設定する操作を開始する。操作部７０のタッチパネル７１（表示部７１１）には、「メインメニュー」の階層において、複数のアイコン１１０が表示されている。
【００４６】
図７に示すように、ステップＳＴ１において、使用者が所望の設定内容を設定するための操作を行うことにより、制御部９０は、各機能又は各設定内容を選択可能な階層を、設定領域において上位層又は下位層に移動させるように制御する。例えば、使用者は、コピー機１においてコピーされる印刷物を読み取る際の「原稿の画質」（設定内容）の設定（変更）したい場合には、設定領域において、「原稿の画質」を設定することができる機能が割り当てられたアイコン１１０を選択する。本実施形態においては、設定領域は、階層構造化されている。また、アイコン１１０の形状等が他のアイコン１１０の形状等と紛らわしい場合や、「原稿の画質」の設定内容を別の機能と取り違える場合がある。
本実施形態においては、「原稿の画質」を設定するためには、図８において、「メインメニュー」の階層において「機能リスト一覧」を選択して、「機能リスト一覧メニュー」の階層に移動（図８における矢印Ｂ１の移動）した後に、「機能リスト一覧メニュー」の階層において「原稿の画質」を選択（図８における矢印Ｂ２の移動）することが必要である。
【００４７】
ステップＳＴ２において、第１判定部９０１は、使用者の操作が所望の設定内容を設定するには必要のない不必要な操作であるか否かを判定する。具体的には、本実施形態においては、不必要な操作とは、図８に示すように、例えば、使用者が、「原稿の画質」を設定したかったが、「メインメニュー」の階層において、「濃度」のアイコン１１０を「原稿の画質」のアイコン１１０と間違えて、「濃度」のアイコン１１０を選択して「濃度設定」の階層に移動（図８における矢印Ｃ１の移動）する操作等が挙げられる。この場合に、使用者は、「原稿の画質」を設定するには上位層に戻る必要があることに気づき、その後、「濃度設定」の階層から１つ上の上位層である「メインメニュー」の階層に戻る（移動する）操作（図８における矢印Ｃ２の移動）をする場合がある。この場合には、設定領域において下位層から上位層への移動する操作であるため、第１判定部９０１は、不必要な操作であると判定する。
第１判定部９０１により不必要な操作であると判定された場合（ＹＥＳ）には、この不必要な操作に関連する過去情報があるときにナビゲート情報を表示部７１１に表示させるため、処理は、ステップＳＴ３に進む。一方、第１判定部９０１により不必要な操作でないと判定された場合（ＮＯ）には、使用者が設定内容を設定するための操作を継続するため、処理は、ステップＳＴ９に進む。
【００４８】
ステップＳＴ３において、第２判定部９０２は、記憶部８０を参照して、不必要な操作に関連する過去情報があるか否かを判定する。具体的には、第２判定部９０２は、記憶部８０を参照して、「濃度設定」の階層から１つ上の上位層である「メインメニュー」の階層に戻る（移動する）操作に関連する過去情報があるか否かを判定する。表示制御部９０４は、「濃度設定」から１つ上の上位層に戻る操作に関連する過去情報があると第２判定部９０２が判定した場合（ＹＥＳ）には、表示部７１１にナビゲート情報を表示させるため、処理は、ステップＳＴ４に進む。一方、「濃度設定」から１つ上の上位層に戻る操作に関連する過去情報がないと第２判定部９０２が判定した場合（ＮＯ）には、設定内容を設定するための操作を継続するため、処理は、ステップＳＴ８に進む。
【００４９】
ステップＳＴ４において、表示制御部９０４は、ナビゲート情報を表示部７１１に表示させる。具体的には、記憶部８０には、「濃度設定」の階層から１つ上の上位層に戻る操作に関連する過去情報として、「原稿の画質」、「色相調整」、「カラーバランス」の設定内容が記憶されている。そのため、図６に示すように、表示制御部９０４は、ナビゲート情報として、「原稿の画質」、「色相調整」、「カラーバランス」のアイコン１１０を、表示部７１１に表示させる。
なお、「原稿の画質」、「色相調整」、「カラーバランス」の設定内容を表示させる順番としては、例えば、不必要な操作の後に設定される設定内容として頻度が高い順に、表示部７１１に表示させることができる。また、ナビゲート情報として表示部７１１に表示させる設定内容の数は、任意に設定することができる。
【００５０】
ステップＳＴ５において、検出部９０５は、ナビゲート情報として表示部７１１に表示された設定内容が選択されたか否かを検出する。具体的には、例えば、表示部７１１に表示された「原稿の画質」、「色相調整」又は「カラーバランス」のアイコン１１０が使用者により選択された場合には、検出部９０５においては、ナビゲート情報として表示された設定内容が選択されたことが検出される。また、表示部７１１に表示された「メインメニューに戻る」のアイコン１１０が選択された場合には、検出部９０５においては、使用者によりナビゲート情報として表示された設定内容が選択されたことが検出されない。ナビゲート情報として表示部７１１に表示された設定内容が選択されたと検出部９０５が検出した場合（ＹＥＳ）には、その所望の設定内容を設定するため、処理は、ステップＳＴ６に進む。一方、ナビゲート情報として表示部７１１に表示された設定内容が選択されたと検出部９０５が検出しない場合（ＮＯ）には、使用者が設定内容を設定するための操作を継続するため、処理は、ステップＳＴ８に進む。
【００５１】
ステップＳＴ６において、制御部９０は、選択されたアイコン１１０に割り当てられた設定内容を設定するように制御する。具体的には、例えば、表示部７１１に表示されたナビゲート情報において、「原稿の画質」のアイコン１１０が選択されたと検出部９０５が検出した場合には、制御部９０は、「原稿の画質」を設定する。このように、ナビゲート情報を表示部７１１に表示させることにより、「原稿の画質」の設定を容易に行うことができる。従って、所望の設定内容を効率よく設定することができる。
【００５２】
ステップＳＴ７において、書込部９０３は、「濃度設定」の階層（下位層）から「メインメニュー」の階層（上位層）に移動する不必要な操作と、所定（所望）の設定内容（「原稿の画質」の設定）とを関連付けて、過去情報として、記憶部８０に記憶させる。
その後、処理は終了する。
【００５３】
ステップＳＴ３における「濃度設定」の階層から１つ上の上位層に戻る操作に関連する過去情報がないと判定された場合（ＮＯ）、及び、ステップＳＴ５におけるナビゲート情報として表示部７１１に表示された設定内容が選択されたと検出されない場合（ＮＯ）におけるステップＳＴ８において、使用者が操作部７０を操作して設定領域内を移動させることにより、制御部９０は、所定の設定内容として正しい設定内容である「原稿の画質」を設定する。
【００５４】
その後、ステップＳＴ７において、書込部９０３は、「濃度設定」の階層（下位層）から「メインメニュー」の階層（上位層）に移動する不必要な操作と、所定（所望）の設定内容（「原稿の画質」の設定）とを関連付けて、過去情報として、記憶部８０に記憶させる。
【００５５】
ステップＳＴ２における第１判定部９０１により不必要な操作でないと判定された場合（ＮＯ）におけるステップＳＴ９において、所望の設定内容を設定できる階層に移動したか否かを判定する。所望の設定内容を設定できる階層に移動した場合（ＹＥＳ）には、処理は、ステップＳＴ１０に進む。
【００５６】
ステップＳＴ１０において、使用者は、所望の設定内容を設定する。その後、処理は終了する。この場合には、使用者は、不必要な操作をすることなく、「メインメニュー」の階層から「機能リスト一覧」を選択して、「機能リスト一覧メニュー」の階層に移動している。そして、「機能リスト一覧メニュー」の階層において「原稿の画質」を選択することで、所望の設定内容である「原稿の画質」を設定している。
一方、所望の設定内容を設定できる階層に移動していない場合（ＮＯ）には、所望の設定内容を設定する操作を更に継続して行う必要があるため、処理は、ステップＳＴ１に戻る。
【００５７】
以上説明したように、本実施形態の表示装置１００によれば、例えば、以下の効果が奏される。
本実施形態の表示装置１００においては、操作部７０における操作が所定の設定内容を設定するには必要のない不必要な操作であるか否かを判定する第１判定部９０１と、過去情報を記憶する記憶部８０と、第１判定部９０１により操作部７０における操作が不必要な操作であると判定された場合に、不必要な操作と所定の設定内容とを関連付けて、過去情報として記憶部８０に記憶させる書込部９０３と、第１判定部９０１により操作部７０における操作が不必要な操作であると判定された場合に、記憶部８０に記憶される過去情報に基づいて、所定の設定内容を設定するために必要な操作に関するナビゲート情報を表示部７１１に表示させる表示制御部９０４と、を備える。そのため、表示制御部９０４は、記憶部８０に記憶される過去情報に基づいて、ナビゲート情報を表示部７１１に表示させることができる。従って、使用者が所定の設定内容の操作について迷った際においても、所定の設定内容を正しく効率よく設定することができる。
さらに、書込部９０３は、所定の設定内容を設定するには必要のない不必要な操作に関連する情報を過去情報として記憶部８０に記憶させる。そのため、不必要な操作に関連する情報は、過去情報として記憶部８０に蓄積される。これにより、記憶部８０に記憶された蓄積された過去情報を参照して、ナビゲート情報を表示部７１１に表示させることができる。
【００５８】
また、本実施形態の表示装置１００においては、不必要な操作は、設定領域内において下位層から上位層に移動する操作である。そのため、設定領域内において下位層から上位層に移動する操作が実行されたときに、効率よく、ナビゲート情報を表示部７１１に表示させることができる。
【００５９】
なお、本発明は、上述した実施形態に限定されることはなく、種々の形態で実施することができる。
前述の実施形態では、表示装置１００がコピー機に搭載される場合について説明した。しかしながら、本発明の表示装置１００は、現金自動預け払い機、自動販売機、自動券売機、携帯電話機、携帯情報端末、デジタルゲーム機、携帯オーディオプレーヤー、カーナビゲーション装置等の電子機器に搭載されてもよい。
【００６０】
また、前述の実施形態では、操作部７０をタッチパネル７１により構成したが、これに制限されない。例えば、操作部７０をテンキーにより構成してもよい。
【００６１】
また、本実施形態のコピー機１は、カラーコピー機であるが、この形態に限定されることはなく、モノクロコピー機であってもよい。
また、本実施形態のコピー機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態のコピー機１は、用紙Ｔの片面を印刷する構成であるが、これに限定されることはなく、用紙の両面を印刷する構成であってもよい。
【００６２】
また、本発明の画像形成装置は、上述したコピー機１に限定されることはない。すなわち、本発明の画像形成装置は、コピー機能、ファクシミリ機能、プリンター機能及びスキャナー機能を備える複合機であってもよく、ファクシミリやプリンターであってもよい。
また、本発明の画像形成装置によってトナー画像が定着される被画像形成媒体は用紙Ｔに限定されることはなく、例えば、ＯＨＰ（オーバーヘッドプロジェクター）シート等のフィルムシートであってもよい。
【符号の説明】
【００６３】
１…コピー機（画像形成装置）、７０…操作部（入力設定部）、８０…記憶部、１００…表示装置、１１０…アイコン（選択項目）、７１１…表示部、９０１…第１判定部（判定部）、９０３…書込部、９０４…表示制御部
【図１】
2013025736.tif 000003
【図２】
2013025736.tif 000004
【図３】
2013025736.tif 000005
【図４】
2013025736.tif 000006
【図５】
2013025736.tif 000007
【図６】
2013025736.tif 000008
【図７】
2013025736.tif 000009
【図８】
2013025736.tif 000010